(57)【要約】【課題】取手部材のみを昇降させることができ、かつ受け皿の出し入れをスムーズにできるガス調理器具を提供する。【解決手段】ビルトインコンロによれば、取手部材１６に設けられた取手部８２を掴んで手前に引くことによって、受け皿６０をレール機構３０に載せて庫外に向かってスムーズに引き出すことができる。そして、取手部材１６は、受け皿６０の前端部の幅方向両側に対して、１対の連結ユニット７０を介して昇降可能に連結されている。連結ユニット７０は、互いに平行に配置された第１連結部材７２及び第２連結部材７３を備えている。第１連結部材７２及び第２連結部材７３の各両端部は、取手部材１６と、受け皿６０の両側に設けられた皿側取付板７６に対して回動可能に各々軸支されている。よって、取手部材１６を受け皿６０に対して自由に昇降させることができる。【選択図】図８
2010054116.tif 000002
【特許請求の範囲】
【請求項１】
被調理物を加熱するための調理庫と、当該調理庫内に収納され、前記被調理物を載せる焼き網が載置された受け皿と、当該受け皿を前記調理庫の前面の開口部から前方に引き出してスライドさせるスライド機構とを備え、前記受け皿の引出方向の前端部に取手部材を備えたガス調理器具において、
前記取手部材は、
前記開口部に対向配置され、前記開口部の一部又は全部を閉塞可能な支持板と、
当該支持板の前記受け皿側とは反対の表面に設けられた取手部と
から構成され、
前記支持板の幅方向両端部と、前記受け皿の前記前端部の幅方向両端部との間は、長尺状の一対の第１連結部材で各々連結され、
当該一対の第１連結部材の長手方向一端部は、前記支持板の前記幅方向両端部に対して回動可能に各々連結され、
前記一対の第１連結部材の前記一端部とは反対の他端部は、前記受け皿の前記幅方向両端部に対して回動可能に各々連結されたことを特徴とするガス調理器具。
【請求項２】
前記支持板の幅方向両端部と、前記受け皿の前記前端部の幅方向両端部との間は、前記一対の第１連結部材と、前記一対の第１連結部材の長手方向に対して平行に各々延設された長尺状の一対の第２連結部材とで連結され、
前記一対の第２連結部材の長手方向各一端部は、前記支持板の前記幅方向両端部に対して回動可能に連結され、
前記一対の第２連結部材の前記一端部とは反対の各他端部は、前記受け皿の前記幅方向両端部に対して回動可能に各々連結されたことを特徴とする請求項１に記載のガス調理器具。
【請求項３】
前記スライド機構は、
前記調理庫の両側に設けられ、前記受け皿の前記引出方向に延設された固定レールと、
当該固定レールに沿ってスライド可能に支持され、前記受け皿を支持する可動レールと
から構成され、
前記可動レールには前記受け皿が着脱可能に固定されたことを特徴とする請求項１又は２に記載のガス調理器具。
【請求項４】
前記取手部材は、前記第１連結部材及び前記第２連結部材の回動動作によって、前記受け皿に対して最上位置となる基本位置と、
前記受け皿に対して最下位置となる下方移動位置と
の間を往復移動可能であって、
前記第１連結部材には嵌合部が設けられ、
前記受け皿には、前記嵌合部の移動軌跡中に各々配置され、前記嵌合部が嵌合する第１被嵌合部と、第２嵌合部とが各々設けられ、
前記嵌合部が前記第１被嵌合部に嵌合することによって、前記取手部材が前記基本位置に保持され、
前記嵌合部が前記第２被嵌合部に嵌合することによって、前記取手部材が前記下方移動位置に保持されることを特徴とする請求項２又は３に記載のガス調理器具。
【発明の詳細な説明】
【技術分野】
【０００１】
本発明は、ガス調理器具に関し、詳細には、調理庫内でガスを燃焼させて被調理物の調理を行うガス調理器具に関する。
【背景技術】
【０００２】
従来、調理庫内でガスを燃焼させて被調理物の調理を行うガス調理器具において、調理庫の前面に形成された開口部を開閉する開閉扉が、被調理物が載置される焼き網を備えた受け皿と分離されているものがある。例えば、受け皿と開閉扉とが分離されているとともに、受け皿の調理庫に対する出し入れ動作に連動して開閉扉が開口部を開閉するガス調理器具が知られている（例えば、特許文献１参照）。しかし、このようなガス調理器具では、受け皿に設けられた取手部材が受け皿よりも上方に突出している。よって、受け皿を引き出して、焼き網に対して被調理物を載せたり、取り出したりする際に、取手部材が邪魔となることがあった。
【０００３】
そこで、例えば、グリル扉と受け皿との連結を、受け皿の後半部分に下方への回動が自在に係止され、かつグリル扉に締結された連結部材により行うグリルが知られている（例えば、特許文献２参照）。このグリルには、グリル扉の引き出し時において、受け皿がグリル庫に支持されて水平方向を保つ支持手段が設けられると共に、グリル扉をグリル庫に回動自在に支持する連結部材が付設されている。これらにより、グリル扉が引き出された際に、取手部材を有するグリル扉が降下するようになっているので、焼き網上に被調理物を載置する際に、グリル扉が邪魔になることがない。
【特許文献１】実開平６―４５１３号公報
【特許文献２】特開平６−７０８５４号公報
【発明の開示】
【発明が解決しようとする課題】
【０００４】
しかしながら、特許文献２に記載のグリルでは、受け皿の後半部分に回動自在に係止された連結部材が下方に回動することで、その連結部材に連結されたグリル扉が降下する。そのため、受け皿を引き出す際に、受け皿の下側に回動する連結部材がグリルの開口に接触してしまい、スムーズに降下させることができないという問題点があった。
【０００５】
また、受け皿をグリルに収納する際は、グリル扉をグリルに対して押し込むことによってなされるが、このとき、グリル下側の接触面に連結部材が当接して滑りながら押し込まれ、連結部材の傾斜によってグリル扉が徐々に上昇し、所定の高さ位置に戻るようになっている。つまり、連結部材がグリル下側の接触面に接触しながら押し込まれるので、その際に生じる摩擦によって、水受け皿をスムーズに収納できないという問題点があった。
【０００６】
本発明は、上記課題を解決するためになされたものであり、取手部材のみを昇降させることができ、かつ受け皿の出し入れをスムーズにできるガス調理器具を提供することを目的とする。
【課題を解決するための手段】
【０００７】
上記目的を達成するために、請求項１に係る発明のガス調理器具は、被調理物を加熱するための調理庫と、当該調理庫内に収納され、前記被調理物を載せる焼き網が載置された受け皿と、当該受け皿を前記調理庫の前面の開口部から前方に引き出してスライドさせるスライド機構とを備え、前記受け皿の引出方向の前端部に取手部材を備えたガス調理器具において、前記取手部材は、前記開口部に対向配置され、前記開口部の一部又は全部を閉塞可能な支持板と、当該支持板の前記受け皿側とは反対の表面に設けられた取手部とから構成され、前記支持板の幅方向両端部と、前記受け皿の前記前端部の幅方向両端部との間は、長尺状の一対の第１連結部材で各々連結され、当該一対の第１連結部材の長手方向一端部は、前記支持板の前記幅方向両端部に対して回動可能に各々連結され、前記一対の第１連結部材の前記一端部とは反対の他端部は、前記受け皿の前記幅方向両端部に対して回動可能に各々連結されている。
【０００８】
また、請求項２に係る発明のガス調理器具は、請求項１に記載の発明の構成に加え、前記支持板の幅方向両端部と、前記受け皿の前記前端部の幅方向両端部との間は、前記一対の第１連結部材と、前記一対の第１連結部材の長手方向に対して平行に各々延設された長尺状の一対の第２連結部材とで連結され、前記一対の第２連結部材の長手方向各一端部は、前記支持板の前記幅方向両端部に対して回動可能に連結され、前記一対の第２連結部材の前記一端部とは反対の各他端部は、前記受け皿の前記幅方向両端部に対して回動可能に各々連結されている。
【０００９】
また、請求項３に係る発明のガス調理器具は、請求項１又は２に記載の発明の構成に加え、前記スライド機構は、前記調理庫の両側に設けられ、前記受け皿の前記引出方向に延設された固定レールと、当該固定レールに沿ってスライド可能に支持され、前記受け皿を支持する可動レールとから構成され、前記可動レールには前記受け皿が着脱可能に固定されている。
【００１０】
また、請求項４に係る発明のガス調理器具は、請求項２又は３に記載の発明の構成に加え、前記取手部材は、前記第１連結部材及び前記第２連結部材の回動動作によって、前記受け皿に対して最上位置となる基本位置と、前記受け皿に対して最下位置となる下方移動位置との間を往復移動可能であって、前記第１連結部材には嵌合部が設けられ、前記受け皿には、前記嵌合部の移動軌跡中に各々配置され、前記嵌合部が嵌合する第１被嵌合部と、第２嵌合部とが各々設けられ、前記嵌合部が前記第１被嵌合部に嵌合することによって、前記取手部材が前記基本位置に保持され、前記嵌合部が前記第２被嵌合部に嵌合することによって、前記取手部材が前記下方移動位置に保持されることを特徴とする。
【発明の効果】
【００１１】
請求項１に係るガス調理器具では、受け皿は調理庫内に収納され、スライド機構によって、調理庫に対して出し入れされる。さらに、受け皿に設けられた取手部を掴みながら、調理庫の開口部に向かって押し込むことによって、開口部の一部又は全部が取手部材の支持板によって閉塞される。そして、取手部材の支持板と、受け皿の前端部との間は、一対の第１連結部材によってその両側が連結されている。さらに、これら各第１連結部材の長手方向両端部は、支持板及び受け皿に対して回動可能に各々連結されている。このような構造により、取手部材は、受け皿に対して、第１連結部材を介して回動可能となるので、取手部材のみを下方に移動させることができる。さらに、スライド機構によって受け皿が引き出された際には、受け皿の前端部の近傍において、第１連結部材が下方に回動し、取手部材のみが下方に移動する。これにより、受け皿を引き出す際に、第１連結部材は調理庫の他部材に干渉しないので、受け皿をスムーズに引き出すことができる。また、調理庫から受け皿を引き出した後で、ユーザの意志によって取手部材を下方に移動させることができるので、使い勝手のよいガス調理器具を提供することができる。
【００１２】
また、請求項２に係るガス調理器具では、請求項１に記載の発明の効果に加え、支持板の幅方向両端部と、受け皿の前端部の幅方向両端部との間は、一対の第１連結部材と、これら第１連結部材に対して平行に各々延設された一対の第２連結部材とで連結されている。これにより、取手部材が、第１，第２連結部材を介して、保持部材の前端部に対して一回転するのを防止できる。また、第１，第２連結部材によって連結されているので、支持板の幅方向両端部と、受け皿の前端部の幅方向両端部との間を強固に連結することができる。また、取手部材の姿勢を一定に保ちつつ、その取手部材を上下に移動させることができるので、操作性を向上できる。
【００１３】
また、請求項３に係るガス調理器具では、請求項１又は２に記載の発明の効果に加え、可動レールに受け皿が着脱可能に固定されているので、可動レールが固定レールに沿って移動することによって、受け皿をスライド移動させることができる。
【００１４】
また、請求項４に係るガス調理器具では、請求項２又は３に記載の発明の効果に加え、第１連結部材及び第２連結部材の回動動作によって、取手部材を、最上位置となる基本位置と、最下位置となる下方移動位置との間を往復移動させることができる。さらに、第１連結部材に設けられた嵌合部を第１被嵌合部に嵌合させることによって、把持部材が基本位置に保持されるので、把持部材を必要な時にだけ下方に移動させることができる。さらに、嵌合部を第２被嵌合部に嵌合させることによって、把持部材が下方移動位置に保持されるので、把持部材を下方に移動させたままの状態で保持できる。つまり、把持部材が勝手に上方に移動することがないので、安全なガス調理器具を提供できる。
【発明を実施するための最良の形態】
【００１５】
以下、本発明の一実施形態であるビルトインコンロ１について、図面を参照して説明する。図１は、ビルトインコンロ１の斜視図である。図２は、受け皿６０を引き出した状態のビルトインコンロ１の斜視図である。図３は、受け皿６０をレール機構３０から取り外した状態のビルトインコンロ１の斜視図である。図４は、図２に示すＩ−Ｉ線矢視方向断面図である。図５は、図１に示すＩＩ−ＩＩ線矢視方向断面図である。なお、図１に示すビルトインコンロ１が本発明の「ガス調理器具」に相当する。
【００１６】
はじめに、ビルトインコンロ１の全体構造について概略的に説明する。図１に示すように、ビルトインコンロ１は、略直方体状の筐体２を備えている。筐体２の天面にはトッププレート４が設けられている。トッププレート４の左右両側には、ガスバーナ５，７が各々設けられ、それらガスバーナ５，７に挟まれる中央奥側には、とろ火用のガスバーナ６が設けられている。これらガスバーナ５，６，７の各中心部には、調理容器の底部に当接して、その底部温度を検知するための温度センサ５ａ，６ａ，７ａが各々設けられている。ガスバーナ５，６，７の各上部周囲には、調理容器を載置するための五徳９，１０，１１が各々設けられている。
【００１７】
トッププレート４の後端側には、後述するグリル庫４５（図４参照）に連通する排気口１３が設けられている。排気口１３には、複数の孔を有する排気カバー１４ａ，１４ｂが設置されている。
【００１８】
筐体２の幅方向中央の内側には、筐体２の前後方向に長手を有し、被調理物を庫内で加熱するためのグリル庫４５（図５参照）が組み込まれている。図２，図３に示すように、グリル庫４５の前面には開口部８が形成され、該開口部８は、筐体２の正面中央に形成された矩形状の開口１２の内側に配置されている。開口部８の上端部にはグリル庫４５の左右方向に延びる支軸４８（図４，図６参照）が設けられ、その支軸４８に対して開閉扉１５が回動可能に軸支されている。これにより、開口部８は開閉扉１５によって開閉される。開閉扉１５の下方には、受け皿６０をグリル庫４５から引き出すための取手部材１６が設けられている。なお、図４に示すグリル庫４５が本発明の「調理庫」に相当する。
【００１９】
図２に示すように、受け皿６０は、グリル庫４５（図３参照）内に設けられたレール機構３０によって、グリル庫４５の内側と外側との間をスライド可能に支持されている。よって、取手部材１６を手前に引くと、その取手部材１６の裏側に連結された受け皿６０が庫外にスライドして引き出されるようになっている。この受け皿６０には焼き網２７が載置されている。よって、受け皿６０を庫外に引き出した状態において、焼き網２７上に被調理物を載せたり、焼き網２７上に載せられた被調理物を取り出すことができる。さらに、本実施形態では、図３に示すように、受け皿６０はレール機構３０に対して着脱可能である。よって、加熱調理後に、受け皿６０をレール機構３０から取り外すことによって、受け皿６０に載せられた被調理物を所望の場所にそのまま運ぶことができる。
【００２０】
また、グリル庫４５には、レール機構３０による受け皿６０のスライド動作に連動して、開閉扉１５を開閉させるための扉連動機構５０（図４参照）が設けられている。この扉連動機構５０によれば、図４，図５に示すように、受け皿６０を庫内に収納することで開閉扉１５は自動的に閉じられ、その反対に、受け皿６０を庫外に引き出すことで開閉扉１５が自動的に開かれる。なお、レール機構３０の構造、および扉連動機構５０の構造については後述する。
【００２１】
ところで、図１，図２に示すように、筐体２の正面左側には、ガスバーナ５を点火するための点火スイッチ１７が設けられている。その点火スイッチ１７の右隣りには、ガスバーナ６を点火するための点火スイッチ１８が設けられている。さらに、グリル庫４５の開閉扉１５を挟んで、筐体２の正面右側には、ガスバーナ７を点火するための点火スイッチ２０が設けられている。その点火スイッチ２０の左隣りには、グリル庫４５の内側に設けられたグリルバーナ（図示外）を点火するための点火スイッチ１９が設けられている。さらに、各点火スイッチ１７〜２０の上側には、対応する各バーナの火力をそれぞれ調節するための火力調節レバー２１〜２４が各々設けられている。
【００２２】
また、筐体２の正面左下であって、点火スイッチ１７，１８の下側には、ビルトインコンロ１を操作するための操作パネル２５が回動可能に設けられている。未使用時には筐体２の内側に収納され、使用時には収納状態の操作パネル２５を押下することで、筐体２の外側に回動されて操作可能となる。一方、筐体２の正面右下であって、点火スイッチ１９，２０の下側には、ビルトインコンロ１の電源を供給する乾電池を格納するための電池ボックス２６が設けられている。
【００２３】
次に、レール機構３０の構造について説明する。図４に示すように、レール機構３０は、グリル庫４５の左右の両側壁の各内面の下端部に沿って各々固定された一対の固定レール３１と、該一対の固定レール３１の内側に沿ってグリル庫４５の前後方向にスライド可能に支持された一対の第１可動レール３２と、該一対の第１可動レール３２の内側に沿ってグリル庫４５の前後方向にスライド可能に支持された一対の第２可動レール３３とからなる。なお、図４では、一対の各レールのうち、右側の各レールについてのみ図示している。
【００２４】
そして、固定レール３１と第１可動レール３２とが互いにすれ違う間には、複数の小型ローラが並列してなるローラユニット（図示外）が配設されている。第１可動レール３２と第２可動レール３３とが互いにすれ違う間にも、同様のローラユニット（図示外）が配設されている。さらに、固定レール３１の前端側には、第１ストッパ（図示外）が設けられている。第１可動レール３２の後端側には、第１可動レール３２が引き出された際に、第１ストッパに係止する第１係止部（図示外）が設けられている。これらにより、固定レール３１から第１可動レール３２が抜けるのを防止できる。
【００２５】
また、第１可動レール３２の前端側には、第２ストッパ（図示外）が設けられている。第２可動レール３３の後端側には、第２可動レール３２が引き出された際に、第２ストッパに係止する第２係止部（図示外）が設けられている。これにより、第１可動レール３２から第２可動レール３３が抜けるのを防止できる。このような構成からなるレール機構３０において、一対の第２可動レール３２の前側には、受け皿６０を着脱可能に保持するための正面視矩形状の保持枠４０が組み付けられている。
【００２６】
ここで、保持枠４０の構造について説明する。図３に示すように、保持枠４０は、右側の第２可動レール３２に固定された長尺状の右枠部４１と、左側の第２可動レール３２に固定された長尺状の左枠部４２と、右枠部４１の前端部と左枠部４２の前端部との間に渡設された長尺状の前方枠部４３と、右枠部４１の後端部と左枠部４２の後端部との間に渡設された長尺状の後方枠部４４とからなる。これら右枠部４１、左枠部４２、前方枠部４３、後方枠部４４は、何れも長手方向に直交する断面が略Ｌ字状に形成されている。
【００２７】
そして、右枠部４１及び左枠部４２は、一対の第２可動レール３２の上面を覆いつつ、第２可動レール３２の内面に沿って略直角に屈曲されている。右枠部４１について、前方枠部４３の上面を覆う部分の外側の一端部であってグリル庫４５の前方側には、扉連動機構５０の後述する連結アーム５３の一端部に軸支されたローラ５５に当接して、グリル庫４５の奥側に付勢するための当接部３６が設けられている。
【００２８】
このような構成からなる保持枠４０の内側に対して、受け皿６０の底部が嵌ると共に、右枠部４１及び左枠部４２に対して、受け皿６０の左右両縁部が載置されることによって、保持枠４０に受け皿６０が保持される。
【００２９】
このように、受け皿６０は保持枠４０に保持された状態で、レール機構３０によってスライド移動するので、グリル庫４５に対して受け皿６０は接触しない。よって、受け皿６０をグリル庫４５に対して滑らかに出し入れできる。さらに、受け皿６０がグリル庫４５に擦れることで生じる摩擦音を生じないので、受け皿６０の出し入れを静音化できる。また、受け皿６０は、第１，第２可動レール３２，３３を介して固定レール３１に沿って移動するので、グリル庫４５内におけるスライド経路が決まっている。これにより、グリル庫４５内で受け皿６０がガタつくことが無く、スライド動作に不具合を生じないので、受け皿６０の出し入れを滑らかにかつ安定して行うことができる。
【００３０】
次に、開閉扉１５の開閉構造について、図６を参照して説明する。図６は、支軸４８に軸支される開閉扉１５の斜視図である。開閉扉１５は、矩形状の本体枠９５を備えている。本体枠９５の略中央には矩形状の開口であるガラス窓部９６が形成されている。本体枠９５の左右両端部には、本体枠９５の裏面に対して略直角に延設された側面視Ｌ字型の支持部９７，９８が設けられている。これら支持部９７，９８において、開閉扉１５を上下方向に立てた状態の各上部には、支軸４８が挿通される支軸挿通孔９９が各々設けられている。それら支軸挿通孔９９の各下方には、後述する連結アーム５３の一端部を回動可能に軸支するための連結孔１００が各々設けられている。そして、本体枠９５に対して、その裏側からガラス窓部９６を覆うようにして一枚のガラス板１１０が固定されている。
【００３１】
このような構成からなる開閉扉１５において、支持部９７，９８の一対の支軸挿通孔９９，９９に対して支軸４８が挿通される。そして、その支軸４８の長手方向中央部が、グリル庫４５の開口部８を形成する開口端の上端部に固定され、支軸４８の長手方向両端部が、筐体２の開口１２を形成する各内面に固定される。これにより、開閉扉１５は支軸４８に対して独立して回動する。
【００３２】
さらに、支軸４８において、本体枠９５の内側に相当する部分の左右両側には、コイル状のトルクバネ５８が各々外挿されている。トルクバネ５８の一端部に形成されたループ状の固定部５８ａは、本体枠５９の支持部９７，９８の各内面に固定される。他方、トルクバネ５８の他端部は支軸４８に固定される。そして、固定部５８ａが略水平とした状態で、トルクバネ５８の他端部が支軸４８に対して固定される。つまり、開閉扉１５が開いた状態が、トルクバネ５８にトルクがかけられていない状態となる。そのため、開閉扉１５の自重によって下方に回動しようとしても、トルクバネ５８の付勢によって、開閉扉１５の開かれた状態が保持される。そして、開閉扉１５を閉じることによって、トルクバネ５８にトルクがかかるようになっている。
【００３３】
次に、扉連動機構５０の構造について説明する。図４に示すように、扉連動機構５０は、開閉扉１５の支持部９７，９８に各々設けられた連結孔１００に一端側が回動可能に連結された連結アーム５３と、該連結アーム５３の他端部に設けられ、グリル庫４５に向かって略直角に延設された長孔軸５４と、該長孔軸５４に軸支されたローラ５５と、グリル庫４５の左右の側壁４６の下側にかつグリル庫４５の前後方向に延設され、前記ローラ５５をガイドするための長孔５１とからなる。
【００３４】
連結アーム５３はグリル庫４５の前方に向かって膨出するように２カ所で曲げられている。長孔５１は、連結アーム５３の他端部をグリル庫４５の奥側にガイドするために、グリル庫４５の前側から奥側に向かって略水平に延設されている。さらにその奥側で上方に屈曲させることによって、開閉扉１５の閉塞時における連結アーム５３の他端部の移動を規制している。
【００３５】
次に、扉連動機構５０の動作について説明する。図４に示すように、まず、受け皿６０が庫外に引き出された状態では、開閉扉１５はトルクバネ５８の付勢によって開いた状態に保持されている。つまり、開閉扉１５は上方に跳ね上がっているので、連結アーム５３の他端部に軸支されたローラ５５は、グリル庫４５の側壁４６に設けられた長孔５１の前側まで引き戻された状態となっている。次いで、受け皿６０をグリル庫４５内に収納するために、取手部材１６を筐体２に向かって押すことによって、受け皿６０をグリル庫４５の内側に向かってスライドさせる。すると、保持枠４０に設けられた当接部３６が、グリル庫４５の長孔５１に遊挿されたローラ５５に当接する。
【００３６】
さらに、取手部材１６を押し込むことによって、当接部３６がローラ５５をグリル庫４５の奥側に付勢するので、ローラ５５は長孔５１の内縁に沿って転動する。そして、ローラ５５がグリル庫４５の奥側に移動することによって、連結アーム５３の他端部がグリル庫４５の奥側に引っ張られる。これに伴い、トルクバネ５８の付勢に抗して、開閉扉１５が引っ張られて下方に回動する。そして、受け皿６０がグリル庫４５内に収納され、取手部材１６がグリル庫４５の前方の開口端に当接した状態で開閉扉１５は完全に閉じた状態（図５参照）となる。このとき、保持枠４０の後方枠部４４に固定された突起部３８（図１５参照）が、グリル庫４５の背壁の内面下部に固定された保持ユニット（図示外）によって、左右両側から挟まれて挟持される。これにより保持枠４０がグリル庫４５内に固定される。
【００３７】
そして、受け皿６０を庫外に引き出す場合は、上記説明した流れと逆である。図５に示すように、まず、取手部材１６を手前に徐々に引き出すと、ローラ５５に対する当接部３６の付勢が無くなるので、当接部３６が前側に移動するのに伴ってローラ５５が前方に移動する。これは、トルクバネ５８の付勢が支配的となるので、開閉扉１５が押し上げられ、これに伴って連結アーム５３の他端部に軸支されたローラ５５がグリル庫４５の前方に引っ張られるからである。こうして、図４に示すように、ローラ５５から当接部３６が離間して、受け皿６０が庫外に引き出された状態では、開閉扉１５は跳ね上げられ、グリル庫４５の開口部８を完全に露呈した状態とすることができる。
【００３８】
次に、受け皿６０について説明する。図７は、受け皿６０の平面図であり、図８は、取手部材１６の周囲の部分拡大図（取手部材１６：基本位置）である。図９は、取手部材１６の周囲の部分拡大図（取手部材１６：中間位置）である。図１０は、取手部材１６の周囲の部分拡大図（取手部材１６：最下方位置）である。図７に示す受け皿６０は、焼き網２７（図２参照）上に載せられた被調理物から落下する油、水、焦げ等を受けるものである。そして、その前側部分には、取手部材１６が昇降可能に連結されている。
【００３９】
図７に示すように、受け皿６０は平面視長方形状に形成されている。その底部には、上方に隆起する平面視帯状の一対のリブ６７，６８が受け皿６０の前後方向に設けられている。受け皿６０の幅方向左右両端部には、外方に向かって略水平に延設され、受け皿６０を保持する保持枠４０の右枠部４１及び左枠部４２（図３参照）に対して、引っ掛けるための右方縁部６１及び左方縁部６２が各々設けられている。受け皿６０の前後方向の前端側には、前方に向かって略水平に延設された前方縁部６３が設けられ、後端側には、後方に向かって略水平に延設された後方縁部６４が設けられている。前方縁部６３には、焼き網２７（図３参照）の脚部（図示外）を差し込んで位置決めるするための差込孔６３ａが設けられている。後方縁部６４にも同様の差込孔６４ａ，６４ｂが各々設けられている。さらに、前方縁部６３の前端部には、取手部材１６に当接させて支持するための側面視逆Ｌ字形状の当接部材６９（図７参照）が設けられている。
【００４０】
また、右方縁部６１の前方部分には、垂直方向に延設された正面視矩形状の皿側取付板７６（図７，図８参照）が設けられている。皿側取付板７６には、図８に示すように、後述する連結ユニット７０の第１，第２連結部材７２，７３の各一端部が、軸支部９３，９４によって回動可能に各々連結されている。さらに、皿側取付板７６の受け皿６０側とは反対側の外面において、その上部には正面視円形状に形成された嵌着凹部７７が設けられ、その下部にも円形状に形成された嵌着凹部７８が各々設けられている。これら嵌着凹部７７，７８は、第１連結部材７２と共に回動する嵌着凸部７４（図８参照）の回動軌跡上に各々配置されている。これら嵌着凹部７７，７８には、後述する第１連結部材７２の内面に設けられた嵌着凸部７４が各々嵌着する。これにより、第１連結部材７２の位置を保持できるようになっている。また、図７に示すように、左方縁部６２の前方部分にも、同様の構造を備えた皿側取付板７６が設けられている。なお、図８に示す嵌着凹部７７，７８が本発明の「被嵌合部」に相当する。
【００４１】
次に、取手部材１６の構造について説明する。図７，図８に示すように、取手部材１６は、正面視横長の長方形状に形成された板状の取手裏板８１を備えている。取手裏板８１の表面の中段には、略水平に延設されると共に、前方に向かって突出する取手部８２が設けられている。その取手部８２の下側には、取手部８２の裏側に手を差し込むための凹部（図示外）が形成されている。なお、図８に示す取手裏板８１が本発明の「支持板」に相当する。
【００４２】
次に、取手部材１６と受け皿６０との連結構造について説明する。図７，図８に示すように、取手部材１６を構成する取手裏板８１の幅方向両端部と、受け皿６０の右方縁部６１及び左方縁部６２との間は、後述する２本の連結部材を備えた連結ユニット７０で各々連結されている。図８に示すように、取手裏板８１の幅方向両端部の各上部には、取手裏板８１の裏面から表面に向かう方向に窪んだ取付凹部８３（図８参照）が各々設けられている。これら取付凹部８３の底面には、側面視半円状の支持板８５，８６が上下方向に並んで各々配設されている。支持板８５，８６には、後述する第１連結部材７２，７３の前記一端部とは反対の各他端部が回動可能に各々軸支されている。
【００４３】
ここで、連結ユニット７０について説明する。図８に示すように、連結ユニット７０は、長尺状の第１連結部材７２と、長尺状の第２連結部材７３とを備えている。第１連結部材７２の長手方向一端部は、取手部材１６の取手裏板８１の取付凹部８３の下部に設けられた支持板８６の軸支部９１を中心に回動可能に軸支されている。さらに、第１連結部材７２の他端部は、受け皿６０に設けられた皿側取付板７６の軸支部９３を中心に回動可能に軸支されている。また、第１連結部材７２の受け皿６０側に向く内面には、半球状に突出する嵌着凸部７４が設けられている。
【００４４】
一方、第２連結部材７３は、第１連結部材７２の上側であって、かつ平行に配置されると共に、その長手方向一端部は、取手裏板８１の取付凹部８３の上部に設けられた支持板８５の軸支部９２を中心に回動可能に軸支されている。さらに、第２連結部材７３の他端部は、受け皿６０に設けられた皿側取付板７６の軸支部９４を中心に回動可能に軸支されている。このような構成からなる連結ユニット７０によって、受け皿６０に対して取手部材１６が昇降可能となっている。なお、図８に示す嵌着凸部７４が本発明の「嵌合部」に相当する。
【００４５】
次に、連結ユニット７０による取手部材１６の昇降動作について、図８乃至図１０を参照して説明する。図８は、取手部材１６の周囲の部分拡大図（取手部材：基本位置）である。図９は、取手部材１６の周囲の部分拡大図（取手部材：中間位置）である。図１０は、取手部材１６の周囲の部分拡大図（取手部材：下方位置）である。図７，図８に示すように、受け皿６０に対して、取手部材１６が最上方に位置した状態では、取手裏板８１の裏面が当接部材６９に当接する。この取手部材１６の位置を「基本位置」とする。取手部材１６が基本位置の状態では、第１連結部材７２の嵌着凸部７４は、皿側取付板７６に設けられた嵌着凹部７７に嵌着している。これにより、第１連結部材７２の回動が制限されるので、取手部材１６は基本位置に保持される。
【００４６】
次に、取手部材１６を下方に移動させる場合、取手部８２を掴みつつ下方に押し下げる。すると、嵌着凹部７７に嵌着していた嵌着凸部７４が離脱するので、第１連結部材７２の回動が許容される。そして、取手部８２を下方に押し下げるにつれて、図９に示すように、第１連結部材７２及び第２連結部材７３を介して、取手裏板８１が垂直な姿勢を保ったまま下方に移動する。さらに、取手裏板８１が最下方位置にまで移動すると、図１０に示すように、第１連結部材７２の嵌着凸部７４が嵌着凹部７８に嵌着する。これにより、第１連結部材７２の回動が制限されるので、取手部材１６が「最下方位置」に保持される。このように、受け皿６０をグリル庫４５から外側に引き出し、取手部材１６を基本位置から最下方位置まで下げることによって、受け皿６０より上に突出していた取手部材１６が下がるので邪魔とならない。よって、焼き網２７上に被調理物を載せたり、取り出したりすることが容易にできる。
【００４７】
このように、連結ユニット７０では、取手部材１６と受け皿６０との連結を、第１連結部材７２のみならず、第２連結部材７３が用いられている。これにより、取手部材１６が受け皿６０に対して一回転しないように制限をかけることができる。さらに、第１連結部材７２及び第２連結部材７３の回動範囲を制限できるので、取手裏板８１を垂直姿勢を保持したままで昇降させることが可能である。また、第１連結部材７２及び第２連結部材７３の２本の連結部材で連結していることから、取手部材１６と受け皿６０と連結を強固にすることができる。よって、取手部材１６の昇降が何度も繰り返されて使用頻度が高い場合にも十分に耐えることができる。
【００４８】
さらに、連結ユニット７０によって、取手部材１６のみをユーザの意志によって昇降させることができるので、受け皿６０を引き出している途中で、取手部材１６が勝手に下方に移動してしまうようなこともない。さらに、レール機構３０によって受け皿６０がスライド移動している際中に、取手部材１６が勝手に下方に移動しないので、受け皿６０のスムーズな移動を妨げるおそれもない。また、取手部材１６の姿勢を一定に保ちつつ、その取手部材１６を上下に移動させることができるので、操作性を向上できる。このようにして、使い勝手の良いグリルを備えたビルトインコンロ１を提供することができる。
【００４９】
以上説明したように、本実施形態のビルトインコンロ１によれば、取手部材１６に設けられた取手部８２を掴んで手前に引くことによって、受け皿６０をレール機構３０に載せて庫外に向かってスムーズに引き出すことができる。そして、取手部材１６は、受け皿６０の前端部の幅方向両側に対して、１対の連結ユニット７０を介して昇降可能に連結されている。連結ユニット７０は、互いに平行に配置された第１連結部材７２及び第２連結部材７３を備えている。第１連結部材７２及び第２連結部材７３の各両端部は、取手部材１６と、受け皿６０の両側に設けられた皿側取付板７６に対して回動可能に各々軸支されている。これにより、取手部材１６を受け皿６０に対して自由に昇降させることができる。
【００５０】
また、第１連結部材７２の内面には嵌着凸部７４が設けられている。受け皿６０に設けられた皿側取付板７６には、嵌着凹部７７，７８が上下に各々設けられている。そして、第１連結部材７２が取手部材１６の昇降に合わせて揺動し、嵌着凸部７４が嵌着凹部７７に嵌着することによって、第１連結部材７２の揺動が制限され、取手部材１６が基本位置に保持される。また、取手部材１６を下方に押し下げ、嵌着凸部７４を嵌着凹部７８に嵌着させることによって、取手部材１６を最下方位置に保持することができる。このように、本実施形態では、簡易な構造によって、取手部材１６を２つの高さ位置に保持できるので、取手部材１６が勝手に昇降するのを防止できる。
【００５１】
なお、本発明に係るガス調理器具は、上記実施形態に限定されるわけではなく、その趣旨を逸脱しない範囲において種々変形してもよい。上記実施形態では、取手部材１６を２つの高さ位置に保持できるようにしたが、受け皿６０に設けられた皿側取付板７６に嵌着凸部７４を嵌着させるための嵌着穴を２つ以上設けてもよい。この場合、取手部材１６の高さ位置を複数設定することができる。
【００５２】
また、本実施形態では、開閉扉１５と受け皿６０とが分離されているビルトインコンロ１を一例として説明したが、開閉扉と受け皿とが一体になった一般的なコンロにも適用可能である。
【図面の簡単な説明】
【００５３】
【図１】ビルトインコンロ１の斜視図である。
【図２】受け皿６０を引き出した状態のビルトインコンロ１の斜視図である。
【図３】受け皿６０をレール機構３０から取り外した状態のビルトインコンロ１の斜視図である。
【図４】図２に示すＩ−Ｉ線矢視方向断面図である。
【図５】図１に示すＩＩ−ＩＩ線矢視方向断面図である。
【図６】開閉扉１５の斜視図である。
【図７】受け皿６０の平面図である。
【図８】取手部材１６の周囲の部分拡大図（取手部材１６：基本位置）である。
【図９】取手部材１６の周囲の部分拡大図（取手部材１６：中間位置）である。
【図１０】取手部材１６の周囲の部分拡大図（取手部材１６：最下方位置）である。
【符号の説明】
【００５４】
１    ビルトインコンロ
８    開口部
１６    取手部材
２７    焼き網
３０    レール機構
３１    固定レール
３２    第１可動レール
３３    第２可動レール
４５    グリル庫
６０    受け皿
７０    連結ユニット
７２    第１連結部材
７３    第２連結部材
７４    嵌着凸部
７６    皿側取付板
７７    嵌着凹部
７８    嵌着凹部
８１    取手裏板
８２    取手部
【図１】
2010054116.tif 000003
【図２】
2010054116.tif 000004
【図３】
2010054116.tif 000005
【図４】
2010054116.tif 000006
【図５】
2010054116.tif 000007
【図６】
2010054116.tif 000008
【図７】
2010054116.tif 000009
【図８】
2010054116.tif 000010
【図９】
2010054116.tif 000011
【図１０】
2010054116.tif 000012